(57)【要約】      （修正有）【課題】レーベル面の画像及び記録面に書き込まれたデータが複製元ディスクと同じディスクを簡単に作成できるようにする。【解決手段】ディスク処理システム１０００において、パブリッシャー１は、複製元ディスクの記録面からデータを読み出し、複製元ディスクから読み出された読出データを、複製先ディスクの記録面に書き込むディスクドライブ２０と、複製元ディスクのレーベル面を撮影するカメラ８０と、カメラ８０の撮影画像に基づき、複製先ディスクのレーベル面に印刷を行うレーベルプリンター３０と、複製元ディスク、及び、複製先ディスクを搬送する搬送部６０とを備える。【選択図】図３
2020187814.tif 000002
【特許請求の範囲】
【請求項１】
第１のディスクの記録面からデータを読み出す読出部と、
前記読出部により前記第１のディスクから読み出されたデータを、第２のディスクの記録面に書き込む書込部と、
前記第１のディスクのレーベル面を撮影するカメラと、
前記カメラの画像データに基づき、前記第２のディスクのレーベル面に印刷を行う印刷部と、
前記第１のディスク、及び、前記第２のディスクを搬送する搬送部と、を備える、
パブリッシャー。
【請求項２】
前記読出部により読み出された前記データと、前記カメラにより撮影された前記画像データとを、関連付けて記憶する記憶部を備える、
請求項１に記載のパブリッシャー。
【請求項３】
前記記憶部に関連付けて記憶された前記画像データと前記データとを取得し、取得した前記データを前記書込部によって前記第２のディスクの記録面に書き込ませ、取得した前記画像データに基づいて前記印刷部により前記第２のディスクのレーベル面に印刷させる制御部を備える、
請求項２に記載のパブリッシャー。
【請求項４】
前記第１のディスクを収納する第１の収納部と、
前記第２のディスクを収納する第２の収納部と、
前記第１のディスク及び前記第２のディスクを収納可能な第３の収納部と、を備え、
前記搬送部は、
前記第１の収納部が収納する前記第１のディスクについて、前記読出部へ搬送した後に前記第３の収納部へ搬送し、その後、前記第２の収納部が収納する前記第２のディスクについて、前記書込部と前記印刷部へ搬送した後に前記第３の収納部へ搬送する、
請求項１から３のいずれか一項に記載のパブリッシャー。
【請求項５】
前記第１のディスクを収納する第１の収納部と、
前記第２のディスクを収納する第２の収納部と、
前記第１のディスク及び前記第２のディスクを収納可能な第３の収納部と、を備え、
前記搬送部は、
前記第１の収納部が収納する前記第１のディスクについて、前記読出部へ搬送した後に前記第３の収納部へ搬送し、その後、前記第２の収納部が収納する前記第２のディスクについて、前記書込部と前記印刷部へ搬送した後に前記第１の収納部へ搬送する、
請求項１から３のいずれか一項に記載のパブリッシャー。
【請求項６】
前記印刷部は、トレイを有し、
前記カメラの撮影位置は、前記搬送部が前記第２のディスクを前記トレイに載置する場合の前記トレイの位置である、
請求項４又は５に記載のパブリッシャー。
【請求項７】
第１のディスクの記録面からデータを読み出し、
前記第１のディスクのレーベル面を撮影し、
前記第１のディスクから読み出されたデータを、第２のディスクの記録面に書き込み、
撮影により得られた画像データに基づき、前記第２のディスクのレーベル面に印刷を行う、
パブリッシャーの制御方法。
【請求項８】
ディスクの記録面からデータを読み出す読出部と、前記ディスクの記録面にデータを書き込む書込部と、前記ディスクのレーベル面を撮影するカメラと、前記ディスクのレーベル面に印刷を行う印刷部と、前記ディスクを搬送する搬送部と、を備えるパブリッシャーを制御するパブリッシャー制御装置であって、
前記読出部に、第１のディスクの記録面からデータを読み出させ、
前記カメラに、前記第１のディスクのレーベル面を撮影させ、
前記書込部に、前記第１のディスクから読み出したデータを、第２のディスクの記録面に書き込ませ、
前記カメラによる前記第１のディスクのレーベル面の画像データに基づいて、前記印刷部により前記第２のディスクのレーベル面に印刷を行わせる制御装置制御部を備える、
パブリッシャー制御装置。
【発明の詳細な説明】
【技術分野】
【０００１】
本発明は、パブリッシャー、パブリッシャーの制御方法、及び、パブリッシャー制御装置に関する。
【背景技術】
【０００２】
従来、ＣＤ（Ｃｏｍｐａｃｔ  Ｄｉｓｃ）や、ＤＶＤ（Ｄｉｇｉｔａｌ  Ｖｅｒｓａｔｉｌｅ  Ｄｉｓｃ）、ＢＤ（Ｂｌｕ−ｒａｙ（登録商標）  Ｄｉｓｃ）等のディスクを複製する技術が知られている。例えば、特許文献１は、複製元のディスクのレーベル面の画像をスキャナで取得し、取得した画像を複製先のディスクのレーベル面に印刷することによって、レーベル面の画像が複製元のディスクと同じディスクを複製できる複合機を開示する。
【先行技術文献】
【特許文献】
【０００３】
【特許文献１】特開２００７−１４１３２１号公報
【発明の概要】
【発明が解決しようとする課題】
【０００４】
しかしながら、特許文献１記載の装置は、複製元のディスクの記録面に書き込まれたデータを複製先のディスクにコピーすることについて開示しておらず、複製元のディスクのレーベル面の画像及び記録面に書き込まれたデータから、同じディスクを簡単に作成（複製）することが開示されていない。
【課題を解決するための手段】
【０００５】
上記課題を解決する一態様は、第１のディスクの記録面からデータを読み出す読出部と、前記読出部により前記第１のディスクから読み出されたデータを、第２のディスクの記録面に書き込む書込部と、前記第１のディスクのレーベル面を撮影するカメラと、前記カメラの画像データに基づき、前記第２のディスクのレーベル面に印刷を行う印刷部と、前記第１のディスク、及び、前記第２のディスクを搬送する搬送部と、を備える、パブリッシャーである。
【０００６】
上記パブリッシャーにおいて、前記読出部により読み出された前記データと、前記カメラにより撮影された前記画像データとを、関連付けて記憶する記憶部を備える、構成でもよい。
【０００７】
上記パブリッシャーにおいて、前記記憶部に関連付けて記憶された前記画像データと前記データとを取得し、取得した前記データを前記書込部によって前記第２のディスクの記録面に書き込ませ、取得した前記画像データに基づいて前記印刷部により前記第２のディスクのレーベル面に印刷させる制御部を備える、構成でもよい。
【０００８】
上記パブリッシャーにおいて、前記第１のディスクを収納する第１の収納部と、前記第２のディスクを収納する第２の収納部と、前記第１のディスク及び前記第２のディスクを収納可能な第３の収納部と、を備え、前記搬送部は、前記第１の収納部が収納する前記第１のディスクについて、前記読出部へ搬送した後に前記第３の収納部へ搬送し、その後、前記第２の収納部が収納する前記第２のディスクについて、前記書込部と前記印刷部へ搬送した後に前記第３の収納部へ搬送する、構成でもよい。
【０００９】
上記パブリッシャーにおいて、前記第１のディスクを収納する第１の収納部と、前記第２のディスクを収納する第２の収納部と、前記第１のディスク及び前記第２のディスクを収納可能な第３の収納部と、を備え、前記搬送部は、前記第１の収納部が収納する前記第１のディスクについて、前記読出部へ搬送した後に前記第３の収納部へ搬送し、その後、前記第２の収納部が収納する前記第２のディスクについて、前記書込部と前記印刷部へ搬送した後に前記第１の収納部へ搬送する、構成でもよい。
【００１０】
上記パブリッシャーにおいて、前記印刷部は、トレイを有し、前記カメラの撮影位置は、前記搬送部が前記第２のディスクを前記トレイに載置する場合の前記トレイの位置である、構成でもよい。
【００１１】
上記課題を解決する別の一態様は、第１のディスクの記録面からデータを読み出し、前記第１のディスクのレーベル面を撮影し、前記第１のディスクから読み出されたデータを、第２のディスクの記録面に書き込み、撮影により得られた画像データに基づき、前記第２のディスクのレーベル面に印刷を行う、パブリッシャーの制御方法である。
【００１２】
上記課題を解決するさらに別の一態様は、ディスクの記録面からデータを読み出す読出部と、前記ディスクの記録面にデータを書き込む書込部と、前記ディスクのレーベル面を撮影するカメラと、前記ディスクのレーベル面に印刷を行う印刷部と、前記ディスクを搬送する搬送部と、を備えるパブリッシャーを制御するパブリッシャー制御装置であって、前記読出部に、第１のディスクの記録面からデータを読み出させ、前記カメラに、前記第１のディスクのレーベル面を撮影させ、前記書込部に、前記第１のディスクから読み出したデータを、第２のディスクの記録面に書き込ませ、前記カメラによる前記第１のディスクのレーベル面の画像データに基づいて、前記印刷部により前記第２のディスクのレーベル面に印刷を行わせる制御装置制御部を備える、パブリッシャー制御装置である。
【図面の簡単な説明】
【００１３】
【図１】パブリッシャーの構成を示す正面図。
【図２】パブリッシャーの筐体の内部を上から見た平面図。
【図３】パブリッシャーの構成を示すブロック図。
【図４】パブリッシャーの動作を示すフローチャート。
【図５】複製元ディスクと複製先ディスクとの収納態様を説明するための図。
【図６】パブリッシャーの動作を示すフローチャート。
【図７】複製元ディスクと複製先ディスクとの収納態様を説明するための図。
【図８】ディスク処理システムの構成を示す図。
【発明を実施するための形態】
【００１４】
［第１実施形態］
まず、第１実施形態について説明する。
図１は、パブリッシャー１の構成を示す正面図である。図２は、パブリッシャー１の筐体１０の内部を上から見た平面図である。
【００１５】
ここで、パブリッシャー１の設置状態における前方を符号ＦＲで示す。また、パブリッシャー１の後方を符号ＲＲで示す。また、パブリッシャー１の右方を符号Ｒで示し、左方を符号Ｌで示し、上方を符号ＵＰで示し、下方を符号ＤＮで示す。これら方向は図１、及び図２において共通である。
【００１６】
パブリッシャー１は、例えばＣＤや、ＤＶＤ、ＢＤ等の円板状のディスクＤへのデータの書き込みや、ディスクＤからのデータの読み出し、ディスクＤのレーベル面への画像の印刷等の処理を実行する装置である。
【００１７】
図１に示すように、パブリッシャー１の筐体１０の内部は、仕切部１１によって上下に仕切られている。以下の説明では、筐体１０の仕切部１１の上方を「筐体上部」といい「１２」の符号を付し、また、筐体１０の仕切部１１の下方を「筐体下部」といい「１３」の符号を付す。
【００１８】
筐体上部１２には、第１ディスクドライブ２０Ａと第２ディスクドライブ２０Ｂとの２つのディスクドライブ２０、レーベルプリンター３０、第１スタッカー４０Ａ、第２スタッカー４０Ｂ、搬送部６０、及び、カメラ８０が設けられる。第１ディスクドライブ２０Ａ、及び、第２ディスクドライブ２０Ｂは、読出部及び書込部の一例に対応する。以下の説明において、第１ディスクドライブ２０Ａ、及び、第２ディスクドライブ２０Ｂを区別しない場合、「ディスクドライブ」といい「２０」の符号を付す。レーベルプリンター３０は、印刷部の一例に対応する。
【００１９】
第１ディスクドライブ２０Ａは、ディスクＤの記録面に対してレーザー光を照射してデータの書き込み、及び、データの読み出しを行う機器である。第１ディスクドライブ２０Ａは、ディスクドライブ本体２１Ａと、ディスクドライブ本体２１Ａに対して前方に引き出し可能に設けられるドライブトレイ２２Ａとを有する。ドライブトレイ２２Ａの上面には、ディスクＤが載置される略円形の凹部が形成されている。ドライブトレイ２２Ａは、ディスクＤへのデータの書き込み及び読み出しを行う処理位置と、搬送部６０のアーム部６１によってディスクＤの受け渡しを行う受渡位置との間を、前後方向に移動可能である。
【００２０】
第２ディスクドライブ２０Ｂは、ディスクＤの記録面に対してレーザー光を照射してデータの書き込み、及び、データの読み出しを行う機器である。第２ディスクドライブ２０Ｂは、ディスクドライブ本体２１Ｂと、ディスクドライブ本体２１Ｂに対して前方に引き出し可能に設けられるドライブトレイ２２Ｂとを有する。ドライブトレイ２２Ｂの上面には、ドライブトレイ２２Ａと同様に、ディスクＤが載置される略円形の凹部が形成されている。ドライブトレイ２２Ｂは、ディスクＤへのデータの書き込み及び読み出しを行う処理位置と、搬送部６０のアーム部６１によってディスクＤの受け渡しを行う受渡位置との間を、前後方向に移動可能に構成される。
【００２１】
以下の説明において、ドライブトレイ２２Ａとドライブトレイ２２Ｂとを区別しない場合、「２２」の符号を付して「ドライブトレイ２２」と総称する。
【００２２】
レーベルプリンター３０は、左右方向に走査するキャリッジ３０１やキャリッジ３０１に搭載されたインクジェットヘッド３０２等の印刷機構を備え、ディスクＤのレーベル面に画像を印刷する印刷装置である。レーベルプリンター３０は、プリンター本体３１と、プリンター本体３１に対して前方に引き出し可能に設けられるプリンタートレイ３２とを有する。プリンタートレイは、トレイの一例に対応する。プリンタートレイ３２には、ドライブトレイ２２と同様に、ディスクＤが載置される略円形の凹部３２１が形成されている。プリンタートレイ３２は、ディスクＤのレーベル面への画像の印刷を行う印刷位置と、搬送部６０のアーム部６１によってディスクＤの受け渡しを行う受渡位置との間を、前後方向に移動可能に構成される。なお、図２では、受渡位置に位置し、ディスクＤが載置されたプリンタートレイ３２を示している。なお、本実施形態では、レーベルプリンター３０としてシリアル型の印刷装置を例示するが、レーベルプリンター３０は、ライン型の印刷装置でもよい。
【００２３】
第１ディスクドライブ２０Ａ、第２ディスクドライブ２０Ｂ、及び、レーベルプリンター３０とは、筐体上部１２において、後述するガイド６２の左後方に、上下方向に一列に並んで設けられる。詳細には、第１ディスクドライブ２０Ａ、第２ディスクドライブ２０Ｂ、及び、レーベルプリンター３０は、受渡位置に位置するドライブトレイ２２Ａに載置されるディスクＤの中心軸と、受渡位置に位置するドライブトレイ２２Ｂに載置されるディスクＤの中心軸と、受渡位置に位置するプリンタートレイ３２に載置されたディスクＤの中心軸と、が同じ軸となるように上下方向に並んで筐体上部１２に設けられている。
【００２４】
カメラ８０は、図１に示すように、筐体上部１２の内部において、第１ディスクドライブ２０Ａ、及び、搬送部６０のアーム部６１より上方に、下方を撮影するように所定の方法で設けられる。例えば、カメラ８０は、図示しない筐体上部１２の天板に設けられる。カメラ８０は、光軸ＫＳが、少なくとも受渡位置に位置するプリンタートレイ３２に載置されたディスクＤの中心軸と同じ軸になるように設けられる。カメラ８０の撮影範囲ＳＡは、受渡位置に位置するプリンタートレイ３２の載置面３２Ａ内の範囲であり、少なくともディスクＤが載置される範囲を含む。カメラ８０の焦点は、受渡位置に位置するプリンタートレイ３２の載置面３２Ａに合っている。すなわち、カメラ８０の撮影位置は、プリンタートレイ３２の受渡位置である。
【００２５】
図１に示すように、筐体上部１２には、ディスクＤを収納する収納部として、第１スタッカー４０Ａ、及び、第２スタッカー４０Ｂが設けられる。
【００２６】
第１スタッカー４０Ａは、例えば数十枚程度のディスクＤが積載された状態で収納可能な円筒形状の第１スタッカー収納部４１Ａを有する。第１スタッカー収納部４１Ａは、筐体１０の内部において、筐体１０に固定された第１スタッカーベース４２Ａに対して、着脱可能に支持される。第１スタッカー収納部４１Ａの外壁の一部には、下方に向かって長尺に切り欠かれた切り欠き部４３Ａが形成される。この切り欠き部４３Ａによって、搬送部６０のアーム部６１は、第１スタッカー収納部４１Ａの下部まで進行可能である。
【００２７】
第２スタッカー４０Ｂは、例えば数十枚程度のディスクＤが積載された状態で収納可能な円筒形状の第２スタッカー収納部４１Ｂを有する。第２スタッカー収納部４１Ｂは、筐体１０の内部において、筐体１０に固定された第２スタッカーベース４２Ｂに対して、着脱可能に支持される。また、第２スタッカーベース４２Ｂは、第１スタッカー４０Ａの下方に、第２スタッカー収納部４１Ｂの上端と、第１スタッカーベース４２Ａの下面との間に、搬送部６０のアーム部６１が挿入可能な間隙Ｋを空けて、第２スタッカーベース４２Ｂに着脱可能に支持される。第２スタッカー収納部４１Ｂの外壁の一部には、下方に向かって長尺に切り欠かれた切り欠き部４３Ｂが形成される。この切り欠き部４３Ｂによって、搬送部６０のアーム部６１は、第２スタッカー収納部４１Ｂの下部まで進行可能である。
【００２８】
図１、及び図２に示すように、第１スタッカー４０Ａ、及び、第２スタッカー４０Ｂは、筐体上部１２において、後述するガイド６２の右前方に、上下方向に並んで一列に設けられる。詳細には、第１スタッカー４０Ａ、及び、第２スタッカー４０Ｂは、収納されるディスクＤの中心軸が同じ軸となるように、上下方向に並んで筐体上部１２に設けられる。
【００２９】
また、図１、及び図２に示すように、筐体上部１２には、第１スタッカー４０Ａ、第２スタッカー４０Ｂ、第３スタッカー５０、第１ディスクドライブ２０Ａ、第２ディスクドライブ２０Ｂ、及び、レーベルプリンター３０の間でディスクＤを搬送する搬送部６０が設けられる。第３スタッカー５０は、第３の収納部の一例に対応する。
【００３０】
搬送部６０は、アーム部６１と、アーム部６１を支持するガイド６２とを備える。ガイド６２は、第１スタッカー４０Ａ、及び、第２スタッカー４０Ｂの後方であって、且つ、第１ディスクドライブ２０Ａ、第２ディスクドライブ２０Ｂ、及び、レーベルプリンター３０の右方向に設けられる。ガイド６２は、長尺な棒状に形成されており、仕切部１１の上面１１Ａに立設されている。アーム部６１は、ガイド６２の軸方向に沿って上下方向に移動すると共に、ガイド６２の軸を中心に回動するアーム駆動部６３に支持されている。また、アーム部６１の先端には、ディスクＤをリリース可能に把持するディスク把持部６４が設けられている。
アーム部６１の先端にはセンサーが設置されている。パブリッシャー記憶部１２０には、ディスクＤの１枚の厚さと、第１スタッカー４０ＡのディスクＤを収納する底部の位置（第１位置）が記憶されている。第１スタッカー４０Ａの上方にアーム部６１が移動するようにガイド６２を回転した後、ガイド６２を軸方向に沿って下方向に移動していき、センサーがディスクＤを検出したときの位置（第２位置）で停止する。パブリッシャー制御部１００は、第２位置と第１位置の差分からディスクＤの１枚の厚さを除算し、第１スタッカー４０Ａに収納されているディスクＤの枚数を取得できる。第２位置と第１位置の差分がない場合には、ディスクＤが収納されていないと判断する。同様に、パブリッシャー制御部１００は、第２スタッカー４０Ｂ、第３スタッカー５０に収納されているディスクＤの枚数を取得し、または、ディスクＤが収納されていないことを判断する。
【００３１】
アーム駆動部６３には、ガイド６２におけるアーム駆動部６３の上下方向の位置や、ガイド６２の軸を中心としたアーム駆動部６３の回動位置を検出するアーム検出センサーが設けられている。アーム検出センサーについては図示を省略している。アーム検出センサーにより検出されたアーム駆動部６３のガイド６２上の位置に基づいて、後述するパブリッシャー制御部１００は、パブリッシャー１の筐体１０内におけるディスク把持部６４に把持されたディスクＤの位置を検出可能である。
【００３２】
また、図１、及び図２に示すように、筐体上部１２には、第１スタッカー４０Ａ、及び第２スタッカー４０Ｂの左方であって、且つ、第１ディスクドライブ２０Ａ、第２ディスクドライブ２０Ｂ、及び、レーベルプリンター３０の前方に、搬送部６０がディスクＤを、上下方向に搬送するための空間が形成されている。そして、当該空間の下方には、後述する第３スタッカー５０が設けられている。
【００３３】
また、図１に示すように、筐体上部１２の前面１２Ｂには、開口部１４が形成されている。この開口部１４の前方には、開口部１４の右端部１４Ａに設けられたドア軸１６に対して回動自在に支持されるドア１５が設けられている。パブリッシャー１は、ドア１５が開口部１４に対して閉状態であることを検出した場合、第１ディスクドライブ２０Ａ、第２ディスクドライブ２０Ｂ、レーベルプリンター３０、及び、搬送部６０が動作可能に構成されている。なお、ドア１５が開口部１４に対して開状態であることを検出した場合、パブリッシャー１は、第１ディスクドライブ２０Ａ、第２ディスクドライブ２０Ｂ、レーベルプリンター３０、及び、搬送部６０の動作を停止するように構成される。
【００３４】
筐体上部１２の前面１２Ｂには、図１における正面視において左下方にパブリッシャー１の電源をオンオフする電源スイッチ１８が設けられ、また、図１における正面視において左上方にパブリッシャー１の各種状態等を報知する報知部７０が設けられている。
【００３５】
報知部７０は、例えば報知内容に対応したＬＥＤを備え、ＬＥＤの点灯状態を変えることによって各種状態を報知する。例えば、報知部７０は、パブリッシャー１の電源のオンオフの状態を報知する。また、例えば、報知部７０は、レーベルプリンター３０における各色のインク残量を報知する。
【００３６】
図１に示すように、筐体下部１３には、ディスクＤを収納する収納部として、第３スタッカー５０が、筐体下部１３の前面１３Ａに形成された引出口１７から引出可能に設けられる。第３スタッカー５０は、ドア１５が閉じられた状態でも引出口１７から第３スタッカー５０を引き出して、ディスクＤの出し入れできるよう構成されている。すなわち、第１ディスクドライブ２０Ａ、第２ディスクドライブ２０Ｂ、レーベルプリンター３０、及び、搬送部６０が動作している状態であっても、ユーザーは、第３スタッカー５０を引出口１７から引き出して、第３スタッカー５０に対してディスクＤの出し入れを行える。
【００３７】
第３スタッカー５０は、第１ディスクドライブ２０Ａ、第２ディスクドライブ２０Ｂ、及び、レーベルプリンター３０の下方に並んで設けられる。第３スタッカー５０は、筐体下部１３の前面１３Ａに形成された引出口１７を介して、筐体１０の前方に引き出し可能な第３スタッカー収納部５１を有する。第３スタッカー収納部５１は、ディスクＤが積載されて収納される略円形の凹部５２が形成され、この凹部５２に数枚のディスクＤを収納可能である。また、第３スタッカー５０の前面５３には、図１に示すように、第３スタッカー収納部５１を前方に筐体１０から引き出す際にユーザーが把持可能な把手部５４が形成されている。
【００３８】
第３スタッカー５０は、図１において二点鎖線で示すように増設スタッカー５７を取り付け可能に構成される。増設スタッカー５７は、ディスクＤを積載して収納可能な有底円筒形状に形成されている。増設スタッカー５７を第３スタッカー５０に取り付けることにより、第３スタッカー５０に収納可能なディスクＤの枚数を、数枚から数十枚に増やすことができる。
【００３９】
図３は、パブリッシャー１の構成を示すブロック図である。
図３に示すように、パブリッシャー１は、制御装置２と共に、ディスク処理システム１０００を構成する。本実施形態のディスク処理システム１０００は、パブリッシャー１、又は、パブリッシャー１及び制御装置２により、レーベル面の画像及び記録面に書き込またデータが複製元のディスクＤと同じディスクＤを作成する。なお、制御装置２は、パブリッシャー１を制御する装置であり、パブリッシャー制御装置の一例に対応する。
【００４０】
以下の説明において、複製元のディスクＤを「複製元ディスク」といい「Ｄ−Ｏｒ」の符号を付し、複製先のディスクＤを「複製先ディスク」といい「Ｄ−Ｐｒ」の符号を付す。なお、本実施形態の複製先ディスクＤ−Ｐｒは、パブリッシャー１の処理前では、レーベル面に画像が印刷されておらず記録面にデータが書き込まれていないディスクである。複製元ディスクＤ−Ｏｒは、第１のディスクの一例に対応する。複製先ディスクＤ−Ｐｒは、第２のディスクの一例に対応する。
【００４１】
パブリッシャー１は、パブリッシャー制御部１００、パブリッシャー通信部１０１、第１ディスクドライブ２０Ａ、第２ディスクドライブ２０Ｂ、レーベルプリンター３０、及び、搬送部６０を備える。パブリッシャー制御部１００は、制御部の一例に対応する。
【００４２】
パブリッシャー制御部１００は、ＣＰＵやＭＰＵ等のプログラムを実行するプロセッサーであるパブリッシャープロセッサー１１０、及び、パブリッシャー記憶部１２０を備え、パブリッシャー１の各部を制御する。パブリッシャー記憶部１２０は、記憶部の一例に対応する。パブリッシャー制御部１００は、パブリッシャープロセッサー１１０が、パブリッシャー記憶部１２０に記憶された制御プログラム１２０Ａを読み出して処理を実行するように、ハードウェア、及びソフトウェアの協働により各種処理を実行する。
【００４３】
パブリッシャー記憶部１２０は、パブリッシャープロセッサー１１０が実行するプログラムや、パブリッシャープロセッサー１１０により処理されるデータを記憶する記憶領域を有する。パブリッシャー記憶部１２０は、パブリッシャープロセッサー１１０が実行する制御プログラム１２０Ａや、その他の各種データを記憶する。パブリッシャー記憶部１２０は、プログラムやデータを不揮発的に記憶する不揮発性記憶領域を有する。また、パブリッシャー記憶部１２０は、揮発性記憶領域を備え、パブリッシャープロセッサー１１０が実行するプログラムや処理対象のデータを一時的に記憶するワークエリアを構成してもよい。
【００４４】
パブリッシャー通信部１０１は、所定の通信規格に従った通信ハードウェアにより構成され、パブリッシャー制御部１００の制御で、制御装置２と通信する。なお、通信ハードウェアとしては、通信回路や、通信ポート、通信基板、通信コネクター等のハードウェアが一例として挙げられる。パブリッシャー通信部１０１と制御装置２との間で使用される通信規格は、有線通信に係る規格でも無線通信に係る規格でもよいが、本実施形態ではＵＳＢ規格を例示する。
【００４５】
第１ディスクドライブ２０Ａ、及び、第２ディスクドライブ２０Ｂは、パブリッシャー制御部１００の制御に従って、複製元ディスクＤ−Ｏｒからデータの読み出しを実行し、また、複製先ディスクＤ−Ｐｒの記録面にデータの書き込みを実行する。
【００４６】
レーベルプリンター３０は、図示せぬインク供給部からのインク供給を受けて、パブリッシャー制御部１００の制御に従って、複製先ディスクＤ−Ｐｒのレーベル面に画像を印刷する。
【００４７】
搬送部６０は、アーム部６１や、ガイド６２、アーム駆動部６３、ディスク把持部６４、ディスク把持部６４を駆動する駆動部、その他のディスクＤの搬送に係る構成を備え、パブリッシャー制御部１００の制御に従って、ディスクＤを搬送する。本実施形態のディスクＤは、レーベル面が上方向を向いた状態で搬送部６０により搬送される。
【００４８】
カメラ８０は、パブリッシャー制御部１００の制御に従って、受渡位置に位置するプリンタートレイ３２の載置面３２Ａを撮影し、画像データ（撮影画像、画像データ）をパブリッシャー制御部１００に出力する。
【００４９】
次に、ディスクＤを複製する際のパブリッシャー１の動作について説明する。以下では、複製元ディスクＤ−Ｏｒと複製先ディスクＤ−Ｐｒとの処理後の収納態様が異なる２つの動作を説明する。
【００５０】
まず、１つめの収納態様に関わるパブリッシャー１の動作について説明する。
図４は、パブリッシャー１の動作を示すフローチャートである。
【００５１】
図４に示すフローチャートの説明では、１枚の複製元ディスクＤ−Ｏｒに対して１枚のディスクＤを複製する場合を例示する。また、図４に示すフローチャートの説明では、増設スタッカー５７が取り付けられているとする。また、図４に示すフローチャートの開始時点では、第１スタッカー４０Ａに複製元ディスクＤ−Ｏｒが複数枚収納され、第２スタッカー４０Ｂに複製先ディスクＤ−Ｐｒが第１スタッカー４０Ａに収納された複数元ディスクＤ−Ｏｒと同数枚収納されているとする。したがって、図４の説明では、第１スタッカー４０Ａは第１の収納部の一例に対応し、第２スタッカー４０Ｂは第２の収納部の一例に対応する。また、図４に示すフローチャートの説明では、第１スタッカー４０Ａ及び第２スタッカー４０Ｂに収納されるディスクＤの総枚数は、第３スタッカー５０が収納可能なディスクＤの最大枚数以下であるとする。
【００５２】
パブリッシャー１のパブリッシャー制御部１００は、ディスクＤの複製を開始するか否かを判別する（ステップＳＡ１）。例えば、パブリッシャー制御部１００は、ディスクＤの複製の実行を指示する複製実行コマンドを、制御装置２からパブリッシャー通信部１０１により受信した場合、ステップＳＡ１において肯定判別する。また、例えば、パブリッシャー制御部１００は、図示せぬ操作スイッチによって、ディスクＤの複製の実行が指示された場合、ステップＳＡ１において肯定判別する。
【００５３】
パブリッシャー制御部１００は、搬送部６０によって、複製元ディスクＤ−Ｏｒを１枚、第１スタッカー４０Ａから、第１ディスクドライブ２０Ａ、又は、第２ディスクドライブ２０Ｂに搬送し、ドライブトレイ２２へ収納する（ステップＳＡ２）。
【００５４】
次いで、パブリッシャー制御部１００は、第１ディスクドライブ２０Ａ、又は、第２ディスクドライブ２０Ｂを制御して、複製元ディスクＤ−Ｏｒの記録面からデータを読み出す（ステップＳＡ３）。以下の説明では、複製元ディスクＤ−Ｏｒの記録面から読み出したデータを、「読出データ」という。
【００５５】
次いで、パブリッシャー制御部１００は、レーベルプリンター３０を制御して、プリンタートレイ３２を受渡位置まで移動させる（ステップＳＡ４）。なお、パブリッシャー制御部１００は、複製元ディスクＤ−Ｏｒからデータの読み出しが完了した後に、プリンタートレイ３２を受渡位置まで移動させる構成でもよい。
【００５６】
次いで、パブリッシャー制御部１００は、複製元ディスクＤ−Ｏｒからデータの読み出しが完了すると、搬送部６０によりドライブトレイ２２から複製元ディスクＤ−Ｏｒを取り出し、取り出した複製元ディスクＤ−Ｏｒを搬送して受渡位置に位置するプリンタートレイ３２に載置する（ステップＳＡ５）。
【００５７】
次いで、パブリッシャー制御部１００は、カメラ８０により載置面３２Ａを撮影させて、複製元ディスクＤ−Ｏｒのレーベル面を含む撮影画像を取得する（ステップＳＡ６）。ステップＳＡ６では、アーム部６１が撮影範囲ＳＡに入り込まないように、アーム部６１を所定の位置に旋回させた状態で、カメラ８０による撮影を行う。
【００５８】
次いで、パブリッシャー制御部１００は、読出データと、ステップＳＡ６で取得した撮影画像データ（撮影画像、画像データ）と、読出データ及び撮影画像データの対応関係を示す対応関係データとを、パブリッシャー記憶部１２０に記憶させる（ステップＳＡ７）。
【００５９】
対応関係データは、例えばＸＭＬ形式のデータであり、読出データの識別データ、及び、撮影画像データの識別データが記述されたデータである。パブリッシャー制御部１００は、ステップＳＡ７において、読出データ、及び、撮影画像データのそれぞれに識別データを生成して、生成した識別データを適切に対応付けて、パブリッシャー記憶部１２０に読出データ及び撮影画像データを記憶させる。また、パブリッシャー制御部１００は、生成した識別データ同士を対応付けた対応関係データを生成し、パブリッシャー記憶部１２０に対応関係データを記憶させる。
【００６０】
次いで、パブリッシャー制御部１００は、搬送部６０により、プリンタートレイ３２から複製元ディスクＤ−Ｏｒを取り出して第３スタッカー５０へ搬送し、複製元ディスクＤ−Ｏｒを第３スタッカー５０に収納する（ステップＳＡ８）。
【００６１】
次いで、パブリッシャー制御部１００は、次にデータを読み出す複製元ディスクＤ−Ｏｒがあるか否かを判別する（ステップＳＡ９）。
【００６２】
パブリッシャー制御部１００は、次にデータを読み出す複製元ディスクＤ−Ｏｒがあると判別した場合（ステップＳＡ９：ＹＥＳ）、処理をステップＳＡ２に戻し、未処理の複製元ディスクＤ−Ｏｒに対してステップＳＡ２からステップＳＡ８の処理を実行する。なお、複数の複製元ディスクＤ−Ｏｒが第１スタッカー４０Ａに収納されている場合、パブリッシャー記憶部１２０には、複数の対応関係データが記憶される。
【００６３】
一方、パブリッシャー制御部１００は、次にデータを読み出す複製元ディスクＤ−Ｏｒがないと判別した場合（ステップＳＡ９：ＮＯ）、パブリッシャー記憶部１２０に記憶される１又は複数の対応関係データから対応関係データを１つ特定する（ステップＳＡ１０）。なお、特定する順は、例えば、パブリッシャー記憶部１２０に記憶された順である。
【００６４】
次いで、パブリッシャー制御部１００は、搬送部６０によって、複製先ディスクＤ−ＯＰｒを１枚、第２スタッカー４０Ｂから、第１ディスクドライブ２０Ａ、又は、第２ディスクドライブ２０Ｂに搬送し、ドライブトレイ２２へ収納する（ステップＳＡ１１）。
【００６５】
次いで、パブリッシャー制御部１００は、第１ディスクドライブ２０Ａ、又は、第２ディスクドライブ２０Ｂを制御して、ステップＳＡ１０で特定した対応関係データが示す読出データを、複製先ディスクＤ−Ｐｒの記録面に書き込む（ステップＳＡ１２）。なお、パブリッシャー制御部１００は、ステップＳＡ１０で特定した対応関係データに含まれる識別データをキーに、読出データをパブリッシャー記憶部１２０から取得する。
【００６６】
次いで、パブリッシャー制御部１００は、搬送部６０により、複製先ディスクＤ−Ｐｒへのデータの書き込みが完了すると、ドライブトレイ２２から複製先ディスクＤ−Ｐｒを取り出し、レーベルプリンター３０へ複製先ディスクＤ−Ｐｒを搬送し、プリンタートレイ３２へ収納する（ステップＳＡ１３）。
【００６７】
次いで、パブリッシャー制御部１００は、レーベルプリンター３０を制御して、ステップＳＡ１０で特定した対応関係データが示す撮影画像データに基づいて、複製先ディスクＤ−Ｐｒのレーベル面に画像を印刷する（ステップＳＡ１４）。なお、パブリッシャー制御部１００は、ステップＳＡ１０で特定した対応関係データに含まれる識別データをキーに、撮影画像データをパブリッシャー記憶部１２０から取得する。ステップＳＡ１４において、パブリッシャー制御部１００は、対応関係データが示す撮影画像データから、所定の方法により複製元ディスクＤ−Ｏｒのレーベル面の撮影画像を示す撮影画像データを抽出する。そして、パブリッシャー制御部１００は、抽出した撮影画像データが示す撮影画像を、レーベルプリンター３０によって、複製先ディスクＤ−Ｐｒのレーベル面に印刷する。
【００６８】
次いで、パブリッシャー制御部１００は、レーベルプリンター３０による印刷が完了すると、搬送部６０により、プリンタートレイ３２から複製先ディスクＤ−Ｐｒを取り出し、第３スタッカー５０へ搬送して複製先ディスクＤ−Ｐｒを第３スタッカー５０に収納する（ステップＳＡ１５）。
【００６９】
次いで、パブリッシャー制御部１００は、ステップＳＡ１で特定した対応関係データと、当該対応関係データが示す読出データ及び撮影画像データとを、パブリッシャー記憶部１２０から消去する（ステップＳＡ１６）。対応関係データと、当該対応関係データが示す読出データ及び撮影画像データとを消去せず、処理済みのフラグと共にパブリッシャー記憶部１２０に記憶し、または、パブリッシャー１に接続された外部記憶装置に記憶してもよい。これらに記憶することにより、必要なとき、複製先ディスクＤ−Ｐｒに複製をすることができる。
【００７０】
次いで、パブリッシャー制御部１００は、パブリッシャー記憶部１２０が対応関係データを記憶しているか否かを判別する（ステップＳＡ１７）。
【００７１】
パブリッシャー制御部１００は、パブリッシャー記憶部１２０が対応関係データを記憶すると判別した場合（ステップＳＡ１７：ＹＥＳ）、処理をステップＳＡ１０に戻す。そして、パブリッシャー制御部１００は、他の複製元ディスクＤ−Ｏｒに基づくディスクＤの複製を実行する。
【００７２】
一方で、パブリッシャー制御部１００は、パブリッシャー記憶部１２０が対応関係データを記憶しないと判別した場合（ステップＳＡ１７：ＮＯ）、本処理を終了する。
【００７３】
図５は、図４で説明した動作を実行した場合の複製元ディスクＤ−Ｏｒと複製先ディスクＤ−Ｐｒとの収納態様を説明するための図である。
【００７４】
図４のステップＳＡ２からステップＳＡ９で説明したように、パブリッシャー制御部１００は、第１スタッカー４０Ａに収納された全ての複製元ディスクＤ−Ｏｒに対して、データの読み出し、及び、カメラ８０によるレーベル面の撮影を行い、処理した複製元ディスクＤ−Ｏｒを第３スタッカー５０に収納する。その後、図４のステップＳＡ１０からステップＳＡ１７で説明したように、パブリッシャー制御部１００は、第２スタッカー４０Ｂに収納された全ての複製先ディスクＤ−Ｐｒに対して、読出データの書き込み、及び、レーベル面の印刷を行い、処理した複製先ディスクＤ−Ｐｒを第３スタッカー５０に収納する。
【００７５】
このように収納されるため、図５に示すように、第３スタッカー５０において、複製元ディスクＤ−Ｏｒと、処理後の複製先ディスクＤ−Ｐｒとが、まとまって収納される。そのため、パブリッシャー１によるディスクＤの複製終了後、ユーザーは、どのディスクＤが複製元ディスクＤ−Ｏｒであり、どのディスクＤが処理後の複製先ディスクＤ−Ｐｒであるかを容易に判断できる。
【００７６】
次に、２つめの収納態様に関わるパブリッシャー１の動作について説明する。
図６は、パブリッシャー１の動作を示すフローチャートである。図６に示すフローチャートでは、図４に示すフローチャートと同じステップについて同一のステップ番号を付し、その詳細な説明を必要に応じて省略する。
【００７７】
図６に示すフローチャートの開始時点では、パブリッシャー１の電源がオンである。また、図６に示すフローチャートの説明では、１枚の複製元ディスクＤ−Ｏｒに対して１枚のディスクを複製する場合を例示する。また、図６に示すフローチャートの説明では、増設スタッカー５７が取り付けられているとする。また、図６に示すフローチャートの開始時点では、第１スタッカー４０Ａに複製元ディスクＤ−Ｏｒが複数枚収納され、第２スタッカー４０Ｂに複製先ディスクＤ−Ｐｒが第１スタッカー４０Ａに収納された複数元ディスクＤ−Ｏｒと同数枚収納されているとする。また、図６に示すフローチャートの説明では、第１スタッカー４０Ａが収納可能なディスクＤの総枚数、第２スタッカー４０Ｂが収納可能なディスクＤの総枚数、第３スタッカー５０が収納可能なディスクＤの総枚数は、それぞれ同数であるとする。
【００７８】
図６に示すフローチャートのステップ１からステップ８は、図４に示すフローチャートと同じであるため説明を省略し、ステップ９から説明をする。パブリッシャー制御部１００は、次にデータを読み出す複製元ディスクＤ−Ｏｒがないと判別した場合（ステップＳＡ９：ＮＯ）、パブリッシャー記憶部１２０に記憶される１又は複数の対応関係データから対応関係データを１つ特定する（ステップＳＡ１０）。なお、特定する順は、例えば、パブリッシャー記憶部１２０に記憶された順である。
【００７９】
次いで、パブリッシャー制御部１００は、搬送部６０によって、複製先ディスクＤ−ＯＰｒを１枚、第２スタッカー４０Ｂから、第１ディスクドライブ２０Ａ、又は、第２ディスクドライブ２０Ｂに搬送し、ドライブトレイ２２へ収納する（ステップＳＡ１１）。
【００８０】
次いで、パブリッシャー制御部１００は、第１ディスクドライブ２０Ａ、又は、第２ディスクドライブ２０Ｂを制御して、ステップＳＡ１０で特定した対応関係データが示す読出データを、複製先ディスクＤ−Ｐｒの記録面に書き込む（ステップＳＡ１２）。
【００８１】
次いで、パブリッシャー制御部１００は、搬送部６０により、複製先ディスクＤ−Ｐｒへの読出データの書き込みが完了すると、ドライブトレイ２２から複製先ディスクＤ−Ｐｒを取り出し、レーベルプリンター３０へ複製先ディスクＤ−Ｐｒを搬送し、プリンタートレイ３２へ収納する（ステップＳＡ１３）。
【００８２】
次いで、パブリッシャー制御部１００は、レーベルプリンター３０を制御して、ステップＳＡ１０で特定した対応関係データが示す撮影画像データに基づいて、複製先ディスクＤ−Ｐｒのレーベル面に画像を印刷する（ステップＳＡ１４）。
【００８３】
次いで、パブリッシャー制御部１００は、レーベルプリンター３０による印刷が完了すると、搬送部６０により、プリンタートレイ３２から複製元ディスクＤ−Ｐｒを取り出し、第１スタッカー４０Ａへ搬送して複製元ディスクＤ−Ｐｒを収納する（ステップＳＢ１）。
【００８４】
次いで、パブリッシャー制御部１００は、ステップＳＡ１で特定した対応関係データと、当該対応関係データを示す読出データ及び撮影画像データとを、パブリッシャー記憶部１２０から消去する（ステップＳＡ１６）。対応関係データと、当該対応関係データが示す読出データ及び撮影画像データとを消去せず、処理済みのフラグと共にパブリッシャー記憶部１２０に記憶し、または、パブリッシャー１に接続された外部記憶装置に記憶してもよい。これらに記憶することにより、再度複製ができる。
【００８５】
次いで、パブリッシャー制御部１００は、パブリッシャー記憶部１２０が対応関係データを記憶しているか否かを判別する（ステップＳＡ１７）。
【００８６】
パブリッシャー制御部１００は、パブリッシャー記憶部１２０が対応関係データを記憶していると判別した場合（ステップＳＡ１７：ＹＥＳ）、処理をステップＳＡ１０に戻す。そして、パブリッシャー制御部１００は、他の複製元ディスクＤ−Ｏｒに基づくディスクＤの複製を実行する。
【００８７】
一方で、パブリッシャー制御部１００は、パブリッシャー記憶部１２０が対応関係データを記憶していないと判別した場合（ステップＳＡ１７：ＮＯ）、本処理を終了する。
なお、パブリッシャー制御部１００が、次にデータを読み出す複製元ディスクＤ−Ｏｒがないと判別した場合（ステップＳＡ９：ＮＯ）、処理を一旦中断し、次のステップＳＡ１０からステップＳＡ１７を、任意のタイミングで行ってもよい。予め第２スタッカー４０Ｂに複製先ディスクＤ−Ｐｒが収納されているとしているが、ステップＳＡ１からＳＡ９までは、複製先ディスクＤ−Ｐｒがなくても処理は可能である。したがって、複製先ディスクＤ−Ｐｒがなくても、ステップＳＡ１から処理を進めてステップＳＡ９で処理を一旦中断し、第２スタッカー４０Ｂに複製先ディスクＤ−Ｐｒが収納されたタイミングで、ステップＳＡ１０以降の処理を開始してもよい。
また、パブリッシャー１に複製先ディスクＤ−Ｐｒがなくても、ステップＳＡ１から処理を進めてステップＳＡ９でこのパブリッシャー１に対する処理を一旦中止し、制御装置２の制御の下、第２スタッカー４０Ｂに複製先ディスクＤ−Ｐｒが収納された別のパブリッシャー１に対して、ステップＳＡ１０以降の処理を実行してもよい。
【００８８】
図７は、図６で説明した動作を実行した場合の複製元ディスクＤ−Ｏｒと複製先ディスクＤ−Ｐｒとの収納態様を説明するための図である。
【００８９】
なお、図７では、第１スタッカー４０Ａにおいて複製元ディスクＤ−Ｏｒと複製先ディスクＤ−Ｐｒとを並べて図示している。これは、第１スタッカー収納部４１Ａにおいて２箇所でディスクＤを積載して収納できることを示しているのではなく、複製前と複製後で異なるディスクＤが第１スタッカー４０Ａに収納されること示している。なお、第１スタッカー４０Ａに収納される一点鎖線で示す複製元ディスクＤ−Ｏｒは、複製前に第１スタッカー４０Ａに収納され、複製後では第１スタッカー４０Ａに収納されていないことを示している。また、第１スタッカー４０Ａに収納される実線で示す複製先ディスクＤ−Ｐｒは、複製後において第１スタッカー４０Ａに収納されることを示している。
【００９０】
図６のステップＳＡ２からステップＳＡ９が示すように、パブリッシャー制御部１００は、第１スタッカー４０Ａに収納された全ての複製元ディスクＤ−Ｏｒに対して、データの読み出し、及び、カメラ８０によるレーベル面の撮影を行い、処理した複製元ディスクＤ−Ｏｒを第３スタッカー５０に収納する。その後、図６のステップＳＢ１を含むステップＳＡ１０からステップＳＡ１７で説明したように、パブリッシャー制御部１００は、第２スタッカー４０Ｂに収納された全ての複製先ディスクＤ−Ｐｒに対して、データの書き込み、及び、レーベル面の印刷を行い、処理した複製先ディスクＤ−Ｐｒを第１スタッカー４０Ａに収納する。
【００９１】
このように収納されるため、図７に示すように、第３スタッカー５０では、複製元ディスクＤ−Ｏｒが収納され、処理された複製先ディスクＤ−Ｐｒが第１スタッカー４０Ａに収納される。そのため、ディスクＤの複製が終了した後、パブリッシャー１では、複製元ディスクＤ−Ｏｒと複製先ディスクＤ−Ｐｒとが同じスタッカーに収納されることがなく、複製元と複製先とでスタッカーを分けてディスクＤを収納できる。したがって、ユーザーは、パブリッシャー１によるディスクＤの複製終了後、どのディスクＤが複製元ディスクＤ−Ｏｒであり、どのディスクＤが処理された複製先ディスクＤ−Ｐｒであるかを容易に判断できる。
【００９２】
なお、図４〜図７を参照して説明したパブリッシャー１の動作では、第１スタッカー４０Ａに複製元ディスクＤ−Ｏｒが収納され、第２スタッカー４０Ｂに複製先ディスクＤ−Ｐｒが収納される場合の動作を例示した。パブリッシャー制御部１００は、複製元ディスクＤ−Ｏｒと複製先ディスクＤ−Ｐｒとの収納先が逆の場合でも、同様の動作を実行する。すなわち、１つめの収納態様の場合、パブリッシャー制御部１００は、第２スタッカー４０Ｂから複製元ディスクＤ−Ｏｒを取り出して処理を実行し、第１スタッカー４０Ａから複製先ディスクＤ−Ｐｒを取り出して処理を実行する。２つめの収納態様の場合、パブリッシャー制御部１００は、第２スタッカー４０Ｂから複製元ディスクＤ−Ｏｒを取り出して処理を実行して第３スタッカー５０に搬送し、第１スタッカー４０Ａから複製先ディスクＤ−Ｐｒを取り出して処理を実行して第２スタッカー４０Ｂに搬送する。なお、第１スタッカー４０Ａに複製先ディスクＤ−Ｐｒが収納され、第２スタッカー４０Ｂに複製元ディスクＤ−Ｏｒが収納される場合、第１スタッカー４０Ａが第２収納部の一例に対応し、第２スタッカー４０Ｂが第１収納部の一例に対応する。
【００９３】
また、図４〜図７を参照して説明したパブリッシャー１の動作では、１枚の複製元ディスクＤ−Ｏｒから１枚のディスクＤを複製する場合の動作を例示した。パブリッシャー１は、１枚の複製元ディスクＤ−Ｏｒから複数枚のディスクＤを複製してもよい。この場合、パブリッシャー制御部１００は、１枚の複製元ディスクＤ−Ｏｒから複製する枚数に対応した回数、図４においてはステップＳＡ１１からステップＳＡ１５の処理、又は、図６においてはステップＳＡ１１からステップＳＢ１の処理を実行する。また、パブリッシャー制御部１００は、１枚の複製元ディスクＤ−Ｏｒから複数枚のディスクＤを複製する場合、２つのディスクドライブ２０で複製先ディスクＤ−Ｐｒに読出データを同時並行で書き込む動作を実行してもよい。
【００９４】
以上、説明したように、パブリッシャー１は、複製元ディスクＤ−Ｏｒの記録面からデータを読み出し、読出データを複製先ディスクＤ−Ｐｒの記録面に書き込むディスクドライブ２０と、複製元ディスクＤ−Ｏｒのレーベル面を撮影するカメラ８０と、カメラ８０の撮影画像に基づき、複製先ディスクＤ−Ｐｒのレーベル面に印刷を行うレーベルプリンター３０と、複製元ディスクＤ−Ｏｒ、及び、複製先ディスクＤ−Ｐｒを搬送する搬送部６０と、を備える。
【００９５】
この構成によれば、複製元ディスクＤ−Ｏｒから読み出したデータが書き込まれたディスクＤであって、複製元ディスクＤ−Ｏｒのレーベル面の撮影画像に基づき画像が印刷されたディスクＤを複製できる。したがって、複製元ディスクＤ−Ｏｒのレーベル面の画像及び記録面に書き込まれたデータから、同じディスクＤを簡単に作成（複製）できる。また、ディスクＤの複製に際して、レーベル面に印刷する画像をカメラ８０によって自動で取得できるため、印刷する画像の設定、複製元ディスクＤ−Ｏｒや複製先ディスクＤ−Ｐｒのパブリッシャー１への出し入れの繰り返し等の手間がかかることなく、容易にディスクＤを複製できる。
【００９６】
パブリッシャー１は、ディスクドライブ２０により読み出された読出データと、撮影画像とを、関連付けて記憶するパブリッシャー記憶部１２０を備える。
【００９７】
この構成によれば、複製元ディスクＤ−Ｏｒごとに読出データと撮影画像とが関連付けられて記憶されるため、複数枚の複製元ディスクＤ−Ｏｒに基づいてディスクＤを複製する場合、書き込まれるデータとレーベル面に印刷される画像とが誤った組み合わせとならないようにディスクＤを複製できる。
【００９８】
パブリッシャー１は、パブリッシャー記憶部１２０に関連付けて記憶された撮影画像と読出データとを取得し、取得した読出データをディスクドライブ２０によって複製先ディスクＤ−Ｐｒの記録面に書き込み、取得した撮影画像に基づいてレーベルプリンター３０によって複製先ディスクＤ−Ｐｒのレーベル面に印刷させるパブリッシャー制御部１００を備える。
【００９９】
この構成によれば、パブリッシャー１がパブリッシャー制御部１００を具備するため、制御装置２の制御によることなく、複製元ディスクＤ−Ｏｒと、レーベル面の画像及び記録面に書き込まれたデータが同じディスクＤを作成できる。
【０１００】
パブリッシャー１は、複製元ディスクＤ−Ｏｒを収納する第１スタッカー４０Ａと、複製先ディスクＤ−Ｐｒを収納する第２スタッカー４０Ｂと、第３スタッカー５０と、を備える。搬送部６０は、第１スタッカー４０Ａが収納する全ての複製元ディスクＤ−Ｏｒについて、ディスクドライブ２０とカメラ８０の撮影位置とへ搬送した後、第３スタッカー５０へ搬送する。その後、搬送部６０は、第２スタッカー４０Ｂが収納する全ての複製先ディスクＤ−Ｐｒについて、ディスクドライブ２０とレーベルプリンター３０へ搬送した後、第３スタッカー５０へ搬送する。
【０１０１】
この構成によれば、第３スタッカー５０においては、複製元ディスクＤ−Ｏｒと、処理後の複製先ディスクＤ−Ｐｒとが、まとまって収納される。そのため、ディスクＤの複製が終了した後、ユーザーは、どのディスクＤが複製元ディスクＤ−ＯｒでありどのディスクＤが処理後の複製先ディスクＤ−Ｐｒであるかを容易に判断できる。
【０１０２】
搬送部６０は、第１スタッカー４０Ａが収納する全ての複製元ディスクＤ−Ｏｒについて、ディスクドライブ２０とカメラ８０の撮影位置とへ搬送した後に第３スタッカー５０へ搬送し、その後、第２スタッカー４０Ｂが収納する全ての複製先ディスクＤ−Ｐｒについて、ディスクドライブ２０とレーベルプリンター３０へ搬送した後に第１スタッカー４０Ａへ搬送する。
【０１０３】
この構成によれば、第３スタッカー５０では、複製元ディスクＤ−Ｏｒが収納され、処理された複製先ディスクＤ−Ｐｒが第１スタッカー４０Ａに収納される。そのため、ディスクＤの複製が終了した後、パブリッシャー１では、複製元ディスクＤ−Ｏｒと複製先ディスクＤ−Ｐｒとが同じスタッカーに収納されることがなく、複製元と複製先とでスタッカーを分けてディスクＤを収納できる。したがって、ユーザーは、ディスクＤの複製後、どのディスクＤが複製元ディスクＤ−Ｏｒであり、どのディスクＤが処理された複製先ディスクＤ−Ｐｒであるかを容易に判別できる。
【０１０４】
レーベルプリンター３０は、プリンタートレイを有する。カメラ８０の撮影位置は、搬送部６０が複製先ディスクＤ−Ｐｒをプリンタートレイ３２に載置する場合のプリンタートレイ３２の位置である。
【０１０５】
複製元ディスクＤ−Ｏｒのレーベル面を撮影する撮影位置としては、第３スタッカー５０に収納される位置や、ドライブトレイ２２に載置される場合のドライブトレイ２２の位置等が考えられる。しかし、第３スタッカー５０の場合では、複製元ディスクＤ−Ｏｒが積載されるため、カメラ８０による撮影の際にカメラ８０のフォーカス調整が必要となる。また、ドライブトレイ２２の場合でも、ディスクドライブ２０が上下方向に並んで設けられているため、載置するドライブトレイ２２に応じてカメラ８０のフォーカス調整が必要となる。一方、上記の構成のように、カメラ８０の撮影位置を受渡位置に位置するプリンタートレイ３２の位置とすることで、パブリッシャー１は、カメラ８０が撮影するたびにカメラ８０のフォーカス調整を行う必要がない。したがって、パブリッシャー１は、ディスクＤの複製に要する処理負荷が増大することを防止できる。
【０１０６】
［第２実施形態］
次に、第２実施形態について説明する。
図８は、第２実施形態におけるディスク処理システム１０００Ａの構成を示す図である。第２実施形態におけるパブリッシャー１、及び、制御装置２の各部の構成について、第１実施形態の各部と同じ構成である場合、同一の符号を付して詳細な説明を省略する。
【０１０７】
第２実施形態のパブリッシャー１は、第１実施形態のパブリッシャー１と比較して明らかな通り、ＵＳＢハブ１０４を有する。
【０１０８】
ＵＳＢハブ１０４は、制御装置２と、第１ディスクドライブ２０Ａ、第２ディスクドライブ２０Ｂ、カメラ８０、レーベルプリンター３０、及び、搬送部６０とを通信接続する通信インターフェースである。ＵＳＢハブ１０４は、第１ディスクドライブ２０Ａ、第２ディスクドライブ２０Ｂ、カメラ８０、レーベルプリンター３０、及び、搬送部６０に出力するコマンドやデータの分配を行うＵＳＢハブコントローラー１０４１を備える。パブリッシャー１が備える第１ディスクドライブ２０Ａ、第２ディスクドライブ２０Ｂ、レーベルプリンター３０、及び、搬送部６０は、ＵＳＢハブ１０４を介してＵＳＢケーブル３により制御装置２に接続される。
【０１０９】
制御装置２は、制御装置制御部２００と、制御装置通信部２０１と、制御装置入力部２０２と、制御装置表示部２０３とを備える。
【０１１０】
制御装置制御部２００は、ＣＰＵやＭＰＵ等のプログラムを実行するプロセッサーである制御装置プロセッサー２１０、及び、制御装置記憶部２２０を備え、制御装置２の各部を制御する。制御装置制御部２００は、制御装置プロセッサー２１０が、制御装置記憶部２２０に記憶された制御プログラム２２０Ａやドライバーソフト２２０Ｂ等を読み出して処理を実行するように、ハードウェア、及びソフトウェアの協働により各種処理を実行する。
【０１１１】
制御装置記憶部２２０は、制御装置プロセッサー２１０が実行するプログラムや、制御装置プロセッサー２１０により処理されるデータを記憶する記憶領域を有する。制御装置記憶部２２０は、制御装置プロセッサー２１０が実行する制御プログラム２２０Ａや、ドライバーソフト２２０Ｂ、その他の各種データを記憶する。ドライバーソフト２２０Ｂは、制御装置プロセッサー２１０が、後述するパブリッシャー１を制御する動作を実行するためのプログラムである。制御装置記憶部２２０は、プログラムやデータを不揮発的に記憶する不揮発性記憶領域を有する。また、制御装置記憶部２２０は、揮発性記憶領域を備え、制御装置プロセッサー２１０が実行するプログラムや処理対象のデータを一時的に記憶するワークエリアを構成してもよい。
【０１１２】
制御装置通信部２０１は、ＵＳＢ通信規格に従った通信ハードウェアにより構成され、制御装置制御部２００の制御で、パブリッシャー１と通信する。なお、制御装置通信部２０１がパブリッシャー１と通信する通信規格は、ＵＳＢ通信規格に限定されない。この場合、パブリッシャー１のＵＳＢハブ１０４は、通信規格に対応したハブが採用される。
【０１１３】
制御装置入力部２０２は、制御装置２に設けられた操作スイッチや、制御装置２と接続したキーボード、タッチパネル等の入力手段を備え、制御装置２を操作するユーザーの入力手段に対する操作を検出し、制御装置制御部２００に出力する。制御装置制御部２００は、制御装置入力部２０２からの入力に基づいて、入力手段に対する操作に対応する処理を実行する。
【０１１４】
制御装置表示部２０３は、液晶表示パネル等の表示パネルを備え、制御装置制御部２００の制御に従って、各種情報を表示する。
【０１１５】
次に、本実施形態の制御装置２の動作について説明する。第１実施形態と同様に、制御装置２は、パブリッシャー１において複製元ディスクＤ−Ｏｒと複製先ディスクＤ−Ｐｒとの処理後の収納態様が異なる２つの動作を実行する。
【０１１６】
すなわち、制御装置２の制御装置制御部２００は、制御装置入力部２０２等の検出に基づいて、ディスクＤの複製を開始すると判別した場合、ドライバーソフト２２０Ｂの機能によって、パブリッシャー１に種々のコマンドを送信し、図４に示すステップＳＡ２〜ステップＳＡ１７の動作をパブリッシャー１に実行させる。なお、ステップＳＡ７、ステップＳＡ９、ステップＳＡ１０、ステップＳＡ１６、及び、ステップＳＡ１７の処理については、制御装置２の制御装置制御部２００が実行する。ここで、ステップＳＡ７では、制御装置制御部２００は、パブリッシャー１から読出データと撮影画像データとを取得して、対応関係データを制御装置記憶部２２０に記憶させる。
【０１１７】
また、制御装置２の制御装置制御部２００は、制御装置入力部２０２等の検出に基づいて、ディスクＤの複製を開始すると判別した場合、ドライバーソフト２２０Ｂの機能よって、パブリッシャー１に種々のコマンドを送信して、図６に示すステップＳＡ２〜ステップＳＡ１７の動作をパブリッシャー１に実行させる。なお、同様に、ステップＳＡ７、ステップＳＡ９、ステップＳＡ１０、ステップＳＡ１６、及び、ステップＳＡ１７の処理については、制御装置２の制御装置制御部２００が実行する。
【０１１８】
このように、第２実施形態では、制御装置２がコマンド送信を行うことで第１実施形態の動作をパブリッシャー１に実行させるため、複製元ディスクＤ−Ｏｒと、レーベル面の画像及び記録面に書き込まれたデータが同じディスクＤを作成できる。
【０１１９】
上述した各実施形態は、あくまでも本発明の一態様を示すものであり、本発明の範囲内で任意に変形および応用が可能である。
【０１２０】
例えば、上述したパブリッシャー１の制御方法が、パブリッシャー１が備えるコンピューター、又は、パブリッシャー１に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。
【０１２１】
例えば、パブリッシャー制御部１００、及び、制御装置制御部２００の機能は、複数のプロセッサー、又は、半導体チップにより実現してもよい。
【０１２２】
また、図３、及び図８に示した各部は一例であって、具体的な実装形態は特に限定されない。つまり、必ずしも各部に個別に対応するハードウェアが実装される必要はなく、一つのプロセッサーがプログラムを実行することで各部の機能を実現する構成とすることも勿論可能である。また、上述した実施形態においてソフトウェアで実現される機能の一部をハードウェアとしてもよく、或いは、ハードウェアで実現される機能の一部をソフトウェアで実現してもよい。その他、パブリッシャー１、及び、制御装置２の他の各部の具体的な細部構成についても、本発明の趣旨を逸脱しない範囲で任意に変更可能である。
【０１２３】
また、例えば、図４、及び、図６に示す動作のステップ単位は、パブリッシャー１の各部の動作の理解を容易にするために、主な処理内容に応じて分割したものであり、処理単位の分割の仕方や名称によって、本発明が限定されることはない。処理内容に応じて、さらに多くのステップ単位に分割してもよい。また、１つのステップ単位がさらに多くの処理を含むように分割してもよい。また、そのステップの順番は、本発明の趣旨に支障のない範囲で適宜に入れ替えてもよい。
【符号の説明】
【０１２４】
１…パブリッシャー、２…制御装置（パブリッシャー制御装置）、２０…ディスクドライブ（読出部、書込部）、２０Ａ…第１ディスクドライブ（読出部、書込部）、２０Ｂ…第２ディスクドライブ（読出部、書込部）、３０…レーベルプリンター（印刷部）、３２…プリンタートレイ（トレイ）、４０Ａ…第１スタッカー（第１収納部、第２収納部）、４０Ｂ…第２スタッカー（第１収納部、第２収納部）、５０…第３スタッカー（第３収納部）、６０…搬送部、８０…カメラ、１００…パブリッシャー制御部（制御部）、１０１…パブリッシャー通信部、１１０…パブリッシャープロセッサー、１２０…パブリッシャー記憶部（記憶部）、１２０Ａ…制御プログラム、２００…制御装置制御部、３０１…キャリッジ、３０２…インクジェットヘッド、１０００…ディスク処理システム、Ｄ…ディスク、Ｄ−Ｏｒ…複製元ディスク（第１のディスク）、Ｄ−Ｐｒ…複製先ディスク（第２のディスク）。
【図１】
2020187814.tif 000003
【図２】
2020187814.tif 000004
【図３】
2020187814.tif 000005
【図４】
2020187814.tif 000006
【図５】
2020187814.tif 000007
【図６】
2020187814.tif 000008
【図７】
2020187814.tif 000009
【図８】
2020187814.tif 000010